(57)【要約】【課題】  おネバの炊飯器本体内部への侵入を効果的に防止できるようにするとともに、蓋体開蓋時の荷重による蓋体の変形をも防止できるようにする。【解決手段】  飯器３を内蔵した炊飯器本体１と、該炊飯器本体１に対してヒンジ２２を介して開閉自在に支持された蓋体２とを備え、該蓋体２には、炊飯時に発生する蒸気を外方に排出するための蒸気通路２８を形成してなる電気炊飯器において、前記蓋体２におけるヒンジ取付部２３側の端部に、前記蒸気通路２８を介して蒸気とともに排出されるおネバを前記蓋体２の開蓋時に前記ヒンジ取付部２３の外側に誘導する凹部３７を形成して、おネバが、凹部３７に誘導されてヒンジ取付部２３の外側に流れ落ちるようにするとともに、蓋体２開蓋時の荷重によって蓋体２が変形することもなくなるようにしている。【選択図】        図１
2005304693.tif 000002
【特許請求の範囲】
【請求項１】
飯器を内蔵した炊飯器本体と、該炊飯器本体に対してヒンジを介して開閉自在に支持された蓋体とを備え、該蓋体には、炊飯時に発生する蒸気を外方に排出するための蒸気通路を形成してなる電気炊飯器であって、前記蓋体におけるヒンジ取付部側の端部には、前記蒸気通路を介して蒸気とともに排出されるおネバを前記蓋体の開蓋時に前記ヒンジ取付部の外側に誘導する凹部を形成したことを特徴とする電気炊飯器。
【請求項２】
前記凹部の幅を、前記ヒンジ取付部の幅内としたことを特徴とする請求項１記載の電気炊飯器。
【請求項３】
前記凹部の下部口縁を、下向きに凸な円弧形状とし且つその下端を、前記ヒンジ取付部の幅方向略中央に位置させたことを特徴とする請求項１および２のいずれか一項記載の電気炊飯器。
【発明の詳細な説明】
【技術分野】
【０００１】
本願発明は、電気炊飯器に関し、さらに詳しくは蓋体の強度向上とおネバの炊飯器本体内部への侵入防止とを図り得るようにした電気炊飯器に関するものである。
【背景技術】
【０００２】
一般の電気炊飯器は、飯器を内蔵した炊飯器本体と、該炊飯器本体に対してヒンジを介して開閉自在に支持された蓋体とを備えて構成されており、蓋体の略中央部には、炊飯時に発生する蒸気を外方に排出するための蒸気通路が形成されている。そして、蓋体が着脱可能となっているものでは、蓋体のヒンジ側には、炊飯器本体側に枢支されたヒンジユニットを着脱可能に嵌挿するための略矩形形状の凹部が切欠形成されている（特許文献１参照）。また、蓋体が着脱できないものでは、蓋体の表面は、凹部等のない緩やかな円弧面とされている。
【０００３】
【特許文献１】実開平１１−２２５８７９号公報。
【発明の開示】
【発明が解決しようとする課題】
【０００４】
ところが、上記特許文献１に開示されている電気炊飯器の場合、炊飯時に蒸気通路を介して蒸気とともに排出されたおネバが蓋体の開蓋時にヒンジユニット嵌挿用の凹部を介して炊飯器本体の内部へ侵入してしまうおそれがあり、製品不良となることがある。また、蓋体が着脱できない構造のものにあっては、蓋体の表面が、凹部等のない緩やかな円弧面とされているため、蓋体開蓋時に蓋体の後部側（即ち、ヒンジ取付部側）が荷重により変形してしまうおそれがあるし、おネバが蓋体の表面を伝ってヒンジ取付部から炊飯器本体の内部へ侵入してしまうおそれがあり、製品不良となることがある。
【０００５】
本願発明は、上記の点に鑑みてなされたもので、おネバの炊飯器本体内部への侵入を効果的に防止できるようにするとともに、蓋体開蓋時の荷重による蓋体の変形をも防止できるようにすることを目的としている。
【課題を解決するための手段】
【０００６】
本願発明では、上記課題を解決するための第１の手段として、飯器を内蔵した炊飯器本体と、該炊飯器本体に対してヒンジを介して開閉自在に支持された蓋体とを備え、該蓋体には、炊飯時に発生する蒸気を外方に排出するための蒸気通路を形成してなる電気炊飯器において、前記蓋体におけるヒンジ取付部側の端部に、前記蒸気通路を介して蒸気とともに排出されるおネバを前記蓋体の開蓋時に前記ヒンジ取付部の外側に誘導する凹部を形成している。
【０００７】
上記のように構成したことにより、蒸気通路を介して蒸気とともに排出されるおネバが、蓋体におけるヒンジ取付部側の端部に形成された凹部に誘導されてヒンジ取付部の外側に流れ落ちることとなり、炊飯器本体の内部へのおネバの侵入を確実に防止することができる。また、蓋体におけるヒンジ取付部側の端部に形成された凹部により、蓋体のヒンジ取付部側の強度が向上することとなり、蓋体開蓋時の荷重によって蓋体が変形することもなくなる。
【０００８】
本願発明では、さらに、上記課題を解決するための第２の手段として、上記第１の手段を備えた電気炊飯器において、前記凹部の幅を、前記ヒンジ取付部の幅内とすることもでき、そのように構成した場合、凹部に誘導されたおネバは、必ずヒンジ取付部の外側を流れ落ちることとなり、炊飯器本体内へのおネバの侵入をより確実に防止することができる。
【０００９】
本願発明では、さらに、上記課題を解決するための第３の手段として、上記第１又は第２の手段を備えた電気炊飯器において、前記凹部の下部口縁を、下向きに凸な円弧形状とし且つその下端を、前記ヒンジ取付部の幅方向略中央に位置させることもでき、そのように構成した場合、凹部に誘導されたおネバは、必ずヒンジ取付部における幅方向中央の外側を流れ落ちることとなり、炊飯器本体内へのおネバの侵入をより一層確実に防止することができる。
【発明の効果】
【００１０】
本願発明の第１の手段によれば、飯器を内蔵した炊飯器本体と、該炊飯器本体に対してヒンジを介して開閉自在に支持された蓋体とを備え、該蓋体には、炊飯時に発生する蒸気を外方に排出するための蒸気通路を形成してなる電気炊飯器において、前記蓋体におけるヒンジ取付部側の端部に、前記蒸気通路を介して蒸気とともに排出されるおネバを前記蓋体の開蓋時に前記ヒンジ取付部の外側に誘導する凹部を形成して、蒸気通路を介して蒸気とともに排出されるおネバが、蓋体におけるヒンジ取付部側の端部に形成された凹部に誘導されてヒンジ取付部の外側に流れ落ちるようにしたので、炊飯器本体の内部へのおネバの侵入を確実に防止することができるという効果がある。また、蓋体におけるヒンジ取付部側の端部に形成された凹部により、蓋体のヒンジ取付部側の強度が向上することとなり、蓋体開蓋時の荷重によって蓋体が変形することもなくなるという効果もある。
【００１１】
本願発明の第２の手段におけるように、上記第１の手段を備えた電気炊飯器において、前記凹部の幅を、前記ヒンジ取付部の幅内とすることもでき、そのように構成した場合、凹部に誘導されたおネバは、必ずヒンジ取付部の外側を流れ落ちることとなり、炊飯器本体内へのおネバの侵入をより確実に防止することができる。
【００１２】
本願発明の第３の手段におけるように、上記第１又は第２の手段を備えた電気炊飯器において、前記凹部の下部口縁を、下向きに凸な円弧形状とし且つその下端を、前記ヒンジ取付部の幅方向略中央に位置させることもでき、そのように構成した場合、凹部に誘導されたおネバは、必ずヒンジ取付部における幅方向中央の外側を流れ落ちることとなり、炊飯器本体内へのおネバの侵入をより一層確実に防止することができる。
【発明を実施するための最良の形態】
【００１３】
以下、添付の図面を参照して、本願発明の好適な実施の形態について説明する。
【００１４】
この電気炊飯器は、図１ないし図３に示すように、内部に炊飯用の飯器３を収納し得るように構成され且つ空間部４を有する二重構造の炊飯器本体１と、該炊飯器本体１の上部開口を開閉自在に密閉覆蓋する蓋体２とを備えている。
【００１５】
前記炊飯器本体１は、外側壁を構成する胴部５ｃと肩部を構成する肩部５ｄとからなる合成樹脂の一体成形品である外ケース５と、底部を構成する合成樹脂製の底部材６と、内周壁を構成する金属製の有底筒状の保護枠７とからなっており、前記外ケース５、底部材６および保護枠７に囲まれて前記空間部４が形成されている。なお、前記保護枠７内には、前記飯器３が取り出し可能に収納されることとなっている。
【００１６】
前記保護枠７の内底部には、炊飯時における加熱手段として作用する熱盤式の電気ヒータ８が配設されている。該電気ヒータ８は、熱良導体からなる熱盤９と該熱盤９に埋設された発熱体（例えば、シーズヒータ）１０とからなっている。
【００１７】
前記熱盤９の中央部には、飯器温度を検出するための温度検出手段として作用するセンタセンサー１１を臨ませるためのセンサー穴１２が形成されている。
【００１８】
前記外ケース肩部５ｂにおける反ヒンジ側（即ち、蓋体２をロックするロック機構１３が設けられている側）には、各種スイッチ（例えば、炊飯スイッチ、予約スイッチ、保温スイッチ等）および液晶表示部を備えた操作パネル部１４とその操作基板１４ａとが設けられている。符号１５は前記空間部４における前部側に配設された電源基板、１６は炊飯器本体１の空間部４における後部側（換言すれば、ヒンジ側）に縦置き姿勢で配設されたコードリール、１７は電気炊飯器を持ち運ぶための把手である。
【００１９】
一方、前記蓋体２は、外面を構成する合成樹脂製の上板１８と、内面外周部を構成するドーナツ形状の合成樹脂製の下板１９と、該下板１９の内側口縁に取り付けられた放熱板２０とによって構成されている。該放熱板２０は、アルミ合金等の熱良導体からなっており、その上面には、蓋ヒータ２１が設けられている。
【００２０】
この蓋体２は、前記外ケース肩部５ｂ（換言すれば、炊飯器本体１）の一側（即ち、背面側）に枢支されたヒンジピン２２を介して炊飯器本体１に対して弧回動自在に取り付けられている。該ヒンジピン２２は、外ケース肩部５ｂに形成された所定幅を有するヒンジ取付部２３に取り付けられている。該ヒンジ取付部２３の幅方向両端部には、図３に示すように、ヒンジスプリング２４（図１参照）の回動部に縦方向のスリット２５，２５が形成されている。また、前記ヒンジ取付部２３における一方のスリット２５の外側から該スリット２５の下方を通って前記蓋ヒータ２１と前記炊飯器本体１側の電源部（図示省略）とを接続するリード線４０が配線されており、前記スリット２５の下方位置には、炊飯器本体１側のリード線４０ａと蓋体２側のリード線４０ｂとを結線する結線部４１が設けられている。
【００２１】
そして、前記蓋体２におけるヒンジピン２２よりの位置には、略馬蹄形の凹陥部２６が形成されており、該凹陥部２６における後方より位置には、嵌合穴２７が形成されている。該嵌合穴２７には、蒸気通路２８を有する調圧機構付きのスチームキャップ２９が着脱自在に取り付けられている。該スチームキャップ２９のキャップ部３０には、前記蓋体２の中央部に位置する蒸気排出口３１が形成されている。また、このキャップ部３０には、後方（即ち、ヒンジ側）に延設された延設部３０ａが一体に形成されており、該延設部３０ａの後端は、後述する凹部３７の上方に臨まされている。
【００２２】
また、前記蓋体２における放熱板２０の中央部には、支持ピン３２を取り付けられており、該支持ピン３２に対してシールパッキン３３を介して内蓋３４が取り付けられている。該内蓋３４は、蓋体２の閉蓋時に前記飯器３の口縁内に臨まされることとなっている。また、蓋体２と内蓋３４との間には、空気層Ａが形成されることとなっている。符号３５は内蓋３４に形成された蒸気入口、３６は蓋体２と飯器３の口縁との間をシールする上部シール部３６ａと内蓋３４の周縁と蓋体２との間をシールする下部シール部３６ｂとが一体に形成されているシールパッキンである。
【００２３】
ところで、本実施の形態においては、前記蓋体２における前記ヒンジ取付部２３側の端部には、前記蒸気通路２８を介して蒸気とともに排出されるおネバを前記蓋体２の開蓋時に前記ヒンジ取付部２３の外側に誘導する凹部３７が形成されている。該凹部３７は、直線形状の上部口縁３７ａと下向きに凸な円弧形状の下部口縁３７ｂとに囲まれた部分を凹ますことにより形成されており、当該部分における強度を向上させる機能を有している。また、前記凹部３７の幅は、前記ヒンジ取付部２３の幅内とされ、凹部３７における下部口縁３７ｂの下端は、前記ヒンジ取付部２３の幅方向略中央に位置せしめられている。さらに、前記凹部３７の上部口縁３７ａは、前記凹陥部２６の後方部と浅い凹溝３８を介して連通されており、該凹溝３８には、前記スチームキャップ２９におけるキャップ部３０の延設部３０ａが嵌挿収納されることとなっている。該延設部３０ａの後端は、前記凹部３７の前後方向中央部の上方に位置せしめられることとなっており、該延設部３０ａを伝って流れるおネバを凹部３７内に確実に落下させるとともに、スチームキャップ２９を取り外す際には、凹部３７に手指を差し込んで延設部３０ａを容易に持ち上げることができることとなっている。
【００２４】
上記のように構成したことにより、図３に示すように、蒸気通路２８を介して蒸気とともに排出されるおネバＤが、スチームキャップ２９のキャップ部３０における延設部３０ａを伝い、蓋体２におけるヒンジ取付部２３側の端部に形成された凹部３７に誘導されてヒンジ取付部２３の外側に流れ落ち、把手１７を収納するために炊飯器本体１の肩部に形成された段部３９に保持されることとなる。従って、炊飯器本体１の内部へのおネバの侵入を確実に防止することができる。しかも、前記凹部３７に誘導されたおネバＤは、ヒンジ取付部２３に形成されたスリット２５，２５を避けた位置である幅方向中央の外側を流れ落ちることとなり、炊飯器本体１内へのおネバの侵入をより一層確実に防止することができる。従って、ヒンジ取付部２３の内方に配線されたリード線４０および炊飯器本体１側のリード線４０ａと蓋体２側のリード線４０ｂとを結線する結線部４１におネバＤが接触するおそれはなくなるのである。なお、おネバは、炊飯時における水量や米量の計量間違い等の誤使用により発生するものである。
【００２５】
また、蓋体２におけるヒンジ取付部２３側の端部に形成された凹部３７により、蓋体２のヒンジ取付部２３側の強度が向上することとなり、蓋体２開蓋時の荷重によって蓋体２が変形することもなくなる。
【００２６】
ところで、図４に示すように、前記凹部３７の下部口縁３７ｂに、おネバを凹部３７内に一時的に留めおくための突壁４２を一体に形成することもできる。このようにすると、少量のおネバの場合には、凹部３７に留めおくことにより、乾燥するので問題とならなくなる。おネバの量が多い場合には、蓋体２の開蓋時に突壁４２を乗り越えて、前述したと同様にヒンジ取付部２３の外側を流れ落ちることとなる。
【００２７】
上記実施の形態においては、熱盤式電気ヒータを加熱手段として採用した電気炊飯器を例として説明したが、本願発明は、電磁誘導コイルを加熱手段として採用した電気炊飯器にも適用可能なことは勿論である。
【図面の簡単な説明】
【００２８】
【図１】本願発明の実施の形態にかかる電気炊飯器の縦断面図である。
【図２】本願発明の実施の形態にかかる電気炊飯器の平面図である。
【図３】本願発明の実施の形態にかかる電気炊飯器の背面図である。
【図４】本願発明の実施の形態にかかる電気炊飯器における蓋体の変形例を示す要部拡大断面図である。
【符号の説明】
【００２９】
１は炊飯器本体
２は蓋体
３は飯器
２２はヒンジ（ヒンジピン）
２３はヒンジ取付部
２８は蒸気通路
３７は凹部
３７ａは上部口縁
３７ｂは下部口縁
Ｄはおネバ
【図１】
2005304693.tif 000003
【図２】
2005304693.tif 000004
【図３】
2005304693.tif 000005
【図４】
2005304693.tif 000006